(57)【要約】【目的】軽量なポンプでも駆動時において面開きによる漏れを生じることがなく、しかも着脱ベンドとポンプ本体部分との離接が容易かつ確実に行われる、着脱式水中ポンプの着脱装置を提供する。【構成】側開型の連接口３とポンプ吐出口６とが懸装機構７を介して離接自在に接合する着脱式水中ポンプにおいて、連接口３の上縁前面に前方へ向けて下り勾配に形成されたガイド傾斜辺８を設け、ポンプ吐出口６の上縁からガイド傾斜辺８と係合する係止爪９を導下させ、ガイド傾斜辺８から離隔した着脱ベンド２上において前面が連接口３と平行状に上導された係装座１０を設け、ポンプ吐出口６の上縁から係止爪９を越えて前方へ導延せられポンプ吐出口６と平行状に導下されて後面が係装座１０の前面と摺接する係止片１１を設けた。【選択図】　　　　図１
2004116294.tif 000002
【特許請求の範囲】
【請求項１】
吐出導管の槽内固定部（着脱ベンド）に開設された側開型の連接口と、昇降ガイドに沿って昇降自在のポンプ本体における側開型のポンプ吐出口とが、懸装機構を介して離接自在に接合する着脱式水中ポンプにおいて、前記連接口の上縁前面に前方へ向けて下り勾配に形成されたガイド傾斜辺を設け、ポンプ吐出口の上縁から上記ガイド傾斜辺と係合する係止爪を導下させ、前記ガイド傾斜辺から離隔した着脱ベンド上において前面が前記連接口と平行状に上導された係装座を設け、ポンプ吐出口の上縁から前記係止爪を越えて前方へ導延せられ前記ポンプ吐出口と平行状に導下されて後面が前記係装座の前面と摺接する係装片を設け、かつ、係装座の前面上端部もしくは係装片の後面下端部のいずれか一方または双方に、傾斜状または円弧状に面取りされた摺接ガイド縁が形成されていることを特徴とする、着脱式水中ポンプの着脱装置。
【発明の詳細な説明】
【０００１】
【発明の技術分野】
本発明は、着脱式水中ポンプの着脱装置に関するものである。
【０００２】
【従来技術とその問題点】
従来の着脱式水中ポンプでは、槽内に固定された着脱ベンドと昇降ガイドに沿って昇降自在のポンプ本体との離接を容易に行わせるため、着脱ベンドの連接口外周の背面を傾斜状のスライドガイド面に形成し、着脱ベンドとポンプ本体との接合時において、ポンプ吐出口の外周上縁から導下された下向きの凹状嵌合体が、前記傾斜状のスライドガイド面と係合するよう構成されている（例えば、特許文献１参照）。また、着脱ベンドとポンプ本体との衝合せ面が面開きして漏れが発生するのを防止するため、着脱ベンドとポンプ本体の接合時において、ポンプ吐出口の外周下方部から導下させた突起部が、着脱ベンドの下方部に設けられた係合部へ係合してポンプ吐出口の動きを規制させるよう構成したものもある（例えば、特許文献２参照）。
【０００３】
【特許文献１】
特開２００２−２０２０８５号公報　（図１）
【特許文献２】
特開平８−２１９０７８号公報　（図２）
【０００４】
【発明が解決しょうとする課題】
近年、樹脂化等に伴うポンプの軽量化に起因して、着脱式水中ポンプでは運転時における吐出圧によりポンプ本体部分が浮上がることになる。吐出圧が大きい場合に特許文献１の装置では、係合されている下向きの凹状嵌合体が、傾斜状のスライドガイド面を摺り上る方向に力が働らくためポンプ本体が浮上り、衝合せ面が面開きして漏れを生じることになる。また、面開きを防止するよう構成された特許文献２の装置では、ポンプ本体の引上げ時に突起部が係合部から外れず、引上げ作業に難渋することになるというだけでなく、ポンプ本体の接合時において突起部と係合部とのセッティングが上手くできずに乗り上げて、却って面開きを助長し漏れを大きくする結果となる。
【０００５】
本発明は上述の課題を解決して、樹脂化による軽量なポンプでも駆動時において面開きによる漏れを生じることがなく、しかも着脱ベンドとポンプ本体部分との離接が容易かつ確実に行われる、着脱式水中ポンプの着脱装置を提供することを目的とする。
【０００６】
【発明の構成】
本発明に係る着脱式水中ポンプの着脱装置では、吐出導管の槽内固定部（着脱ベンド）に開設された側開型の連接口と、昇降ガイドに沿って昇降自在のポンプ本体における側開型のポンプ吐出口とが、懸装機構を介して離接自在に接合する着脱式水中ポンプにおいて、前記連接口の上縁前面に前方へ向けて下り勾配に形成されたガイド傾斜辺を設け、ポンプ吐出口の上縁から上記ガイド傾斜辺と係合する係止爪を導下させ、前記ガイド傾斜辺から離隔した着脱ベンド上において前面が前記連接口と平行状に上導された係装座を設け、ポンプ吐出口の上縁から前記係止爪を越えて前方へ導延せられ前記ポンプ吐出口と平行状に導下されて後面が前記係装座の前面と摺接する係装片を設け、かつ、係装座の前面上端部もしくは係装片の後面下端部のいずれか一方または双方に、傾斜状または円弧状に面取りされた摺接ガイド縁が形成されている。
【０００７】
【実施例】
以下実地例の図１ないし図３により説明をする。
【０００８】
１は吐出導管、２は吐出導管１の槽内固定部（着脱ベンド）、３は槽内固定部２に開設された側開型の連接口、４は槽内に立設された昇降ガイド、５は昇降ガイド４に沿って昇降自在のポンプ本体、６はポンプ本体５における側開型のポンプ吐出口であり、該ポンプ吐出口６と前記連接口３とが後記懸装機構７を介して離接自在に接合する。８は連接口３の上縁前面に前方へ向けて下り勾配に形成されたガイド傾斜辺、９はガイド傾斜辺８と係合するようポンプ吐出口６の上縁から導下された係止爪、１０はガイド傾斜辺８から離隔して着脱ベンド２上に立設された係装座であり、その前面は連接口３と平行状の鉛直面に形成されている。１１はポンプ吐出口６の上縁から係止爪９を越えて前方へ導延された係装片であり、その後面が係止座１０の前面と摺接するようポンプ吐出口６に平行状に導下されている。上述のようにして懸装機構７が構成される。なお、１２は傾斜状または円弧状に面取りされた摺接ガイド縁であり、係装座１０の前面上端部もしくは係装片１１の後面下端部のいずれか一方または双方に施されている。
【０００９】
昇降ガイド４に沿ったポンプ本体５の下降時に、係止爪９がガイド傾斜辺８と摺接しながら下降することでポンプ本体５は前方に誘導され、次いで摺接ガイド縁１２での摺接作用でポンプ本体５は更に前方へ誘導され、係装片１１の後面が係装座１０の前面へ摺接し連接口３の孔心とポンプ吐出口６の孔心とが合致した所定の下降限において着脱ベンド２とポンプ本体５とが接合する。この時点においてガイド傾斜辺８と係止爪９との間には若干の間隙が形成されている。なお、連接口３とポンプ吐出口６との接合面に水封用のゴムベローズ等を介装させた場合には、係装座１０の前面と係装片１１の後面との間に若干の間隙が形成されていても良い。
【００１０】
【作用】
着脱ベンド２とポンプ本体５とが接合した前述の状態において、該接合面から前方へ距離を隔てた着脱ベンド２上で、係装座１０の前面と係装片１１の後面とが互に鉛直面で接することになる。従ってポンプ運転時の吐出圧反力が連接口３とポンプ吐出口６との接合面へ強力に作用しても、係装片１１が上方へ摺り上る力が派生することがなく、ポンプ本体５が浮き上らないため、面開きによる洩れを生じるおそれはない。そして着脱ベンド２とポンプ本体５との接合および離脱が容易かつ確実に行われることになる。
【００１１】
【発明の効果】
本発明着脱式水中ポンプの着脱装置によれば、樹脂化による軽量なポンプでも駆動時において面開きによる漏れを生じることがなく、しかも着脱ベンドとポンプ本体部分との離接が容易かつ確実に行われるという利点がある。
【図面の簡単な説明】
【図１】本発明装置を備えた着脱式水中ポンプの要部縦断側面図である。
【図２】本発明装置における懸装機構部分の拡大縦断側面図であって、係止爪および係装片がガイド傾斜辺および係装座と係合した状態を示す。
【図３】本発明装置における懸装機構部分の拡大縦断側面図であって、図２の係合が解除された状態を示す。
【符号の説明】
１　　　吐出導管
２　　　槽内固定部（着脱ベンド）
３　　　側開型の連接口
４　　　昇降ガイド
５　　　ポンプ本体
６　　　ポンプ吐出口
７　　　懸装機構
８　　　ガイド傾斜辺
９　　　係止爪
１０　　　係止座
１１　　　係止片
１２　　　摺接ガイド縁
【図１】
2004116294.tif 000003
【図２】
2004116294.tif 000004
【図３】
2004116294.tif 000005